(57)【要約】【課題】硬貨の発行年に基づいて偽造硬貨を排除する硬貨識別装置を提供する。【解決手段】硬貨を識別する硬貨識別装置は；硬貨の種類である金種を識別する金種識別部と；硬貨に刻印された硬貨の発行年を識別する発行年識別部と；識別基準に基づいて硬貨の真偽を識別する真偽識別部と；特定の前記金種における特定の前記発行年の硬貨に対する前記識別基準として、前記特定の金種における前記特定の発行年以外の発行年の硬貨に対して適用される前記識別基準よりも厳しい前記識別基準に設定する識別基準設定部と、を備える。【選択図】図１
2014211793.tif 000002
【特許請求の範囲】
【請求項１】
硬貨を識別する硬貨識別装置であって、
硬貨の種類である金種を識別する金種識別部と、
硬貨に刻印された硬貨の発行年を識別する発行年識別部と、
識別基準に基づいて硬貨の真偽を識別する真偽識別部と、
特定の前記金種における特定の前記発行年の硬貨に対する前記識別基準として、前記特定の金種における前記特定の発行年以外の発行年の硬貨に対して適用される前記識別基準よりも厳しい前記識別基準に設定する識別基準設定部と、を備える、硬貨識別装置。
【請求項２】
請求項１に記載の硬貨識別装置であって、
前記特定の金種における前記特定の発行年は、偽物であると識別された前記金種の硬貨の発行年である、硬貨識別装置。
【請求項３】
請求項１または請求項２に記載の硬貨識別装置であって、
前記識別基準は、閾値を含み、
前記真偽識別部は、識別する硬貨の特徴量を特定する特定部を含み、特定された前記特徴量と前記閾値との比較に基づいて、硬貨の真偽を識別する、硬貨識別装置。
【請求項４】
請求項１から請求項３までのいずれか一項に記載の硬貨識別装置であって、さらに、
他の装置と通信する通信部を備え、
前記識別基準設定部は、前記通信部を介して前記他の装置から受け取った情報に基づいて、前記識別基準を設定する、硬貨識別装置。
【請求項５】
請求項１から請求項４までのいずれか一項に記載の硬貨識別装置であって、さらに、
操作を受け付ける操作部を備え、
前記識別基準変更部は、前記操作に基づいて前記識別基準を設定する、硬貨識別装置。
【請求項６】
硬貨処理装置であって、
請求項１から請求項５までのいずれか一項に記載の硬貨識別装置と、
本物であると識別された硬貨を金種ごとに分けて収納する金種別収納部と、を備える、硬貨処理装置。
【請求項７】
硬貨を識別する硬貨識別方法であって、
硬貨の種類である金種を識別する工程と、
硬貨に刻印された硬貨の発行年を識別する工程と、
識別基準に基づいて硬貨の真偽を識別する工程と、
特定の前記金種における特定の前記発行年の硬貨に対する前記識別基準として、前記特定の金種における前記特定の発行年以外の発行年の硬貨に対して適用される前記識別基準よりも厳しい前記識別基準に設定する工程と、を備える、硬貨識別装置。
【発明の詳細な説明】
【技術分野】
【０００１】
本発明は、硬貨識別装置に関する。
【背景技術】
【０００２】
本技術分野の背景技術として、特開平８−７１５１号公報（特許文献１）がある。この文献には、「例えば、紙幣などの真偽判別において、従来では困難であった無効券の識別を精度よく行なうことができる媒体処理装置を提供する。紙幣Ｐ上の印刷パターンを画像読取センサ２７で読取り、この読取った印刷パターンから画像パターン処理部５４で紙幣固有の券番号を抽出し、この抽出した券番号を文字認識部５６で認識し、券番号記憶部５８に記憶する。券番号判定部６０は、文字認識部５６で認識された券番号を券番号記憶部５８内の過去に処理した紙幣Ｐの券番号（券番号記憶部５８に既に記憶されている全ての券番号）と順次照合し、一致した券番号が見つかった場合、その紙幣Ｐは複製券か偽造券などの偽券であると判定する」と記載されている。
【先行技術文献】
【特許文献】
【０００３】
【特許文献１】特開平８−７１５１号公報
【発明の概要】
【発明が解決しようとする課題】
【０００４】
上記特許文献１の媒体処理装置は、紙幣固有の記番号のように固有の番号が刻印されていない偽造硬貨を排除できない。そこで、本発明は、偽造硬貨を排除できる技術を提供することを課題とする。
【課題を解決するための手段】
【０００５】
上記課題を解決するために、本発明は、硬貨を識別する硬貨識別装置であって；硬貨の種類である金種を識別する金種識別部と；硬貨に刻印された硬貨の発行年を識別する発行年識別部と；識別基準に基づいて硬貨の真偽を識別する真偽識別部と；特定の前記金種における特定の前記発行年の硬貨に対する前記識別基準として、前記特定の金種における前記特定の発行年以外の発行年の硬貨に対して適用される前記識別基準よりも厳しい前記識別基準に設定する識別基準設定部と、を備える。
【発明の効果】
【０００６】
本発明によれば、特定の金種と特定の発行年との組み合わせが予め指示されると、当該組み合わせに対する識別基準を厳しくすることで、当該組み合わせに該当する硬貨を排除しやすくなる。上記した以外の課題、構成および効果は、以下の実施例の説明により明らかにされる。
【図面の簡単な説明】
【０００７】
【図１】現金取引処理システム５００の構成を示す説明図である。
【図２】制御部１００および特徴取得部２８０の詳細構成を示す説明図である。
【図３】閾値設定処理の流れを示す説明図である。
【図４】金種および発行年と設定された閾値との関係の一例を示す説明図である。
【図５】入金取引処理の流れを示す説明図である。
【図６】５００円硬貨５６０の概略を示す説明図である。
【発明を実施するための形態】
【０００８】
以下、実施例を図面を用いて説明する。
Ａ．実施例：
Ａ−１．現金取引処理システムの構成：
Ａ−２．閾値設定処理：
Ａ−３．入金取引処理：
Ｂ．変形例：
【０００９】
Ａ．実施例：
Ａ−１．現金取引処理システムの構成：
図１は、現金取引処理システム５００の構成を示す説明図である。現金取引処理システム５００は、硬貨処理装置１０と、サーバとしてのホストコンピュータ５０と、硬貨処理装置１０とホストコンピュータ５０とを接続するネットワークＮＴと、を備える。硬貨処理装置１０は、硬貨を処理する現金取扱装置である。なお、図１には、ホストコンピュータ５０がネットワークＮＴを介して１台の硬貨処理装置１０と接続されている様子が示されているが、ホストコンピュータ５０は、複数の硬貨処理装置１０と接続されてもよい。
【００１０】
硬貨処理装置１０は、制御部１００と、ネットワークインターフェース（ネットワークＩ／Ｆ）２９０と、表示部１９０と、入出金部２２０と、搬送機構２４０と、特徴取得部２８０と、複数の金種別保留部３１０＿１〜３１０＿ｎと、複数の金種別収納部３３０＿１〜３３０＿ｎと、一括保留部３５０と、一括収納部３７０と、回収部３８０と、運用カートリッジ３９０と、を備える。
【００１１】
硬貨処理装置１０の制御部１００は、硬貨処理装置１０の各部を制御する。制御部１００は、ホストコンピュータ５０からの各種指示を受け付ける。本実施例では、制御部１００の機能は、コンピュータプログラムに基づいてＣＰＵ（Central Processing Unit）が動作することによってソフトウェア的に実現される。他の実施例では、制御部１００の機能は、制御部１００が備える回路構成に基づいてハードウェア的に実現されてもよい。
【００１２】
硬貨処理装置１０のネットワークＩ／Ｆ２９０は、ネットワークＮＴを介して接続されたホストコンピュータ５０と通信する。ネットワークＩ／Ｆ２９０は、ホストコンピュータ５０から送信される情報を受信して、制御部１００へと当該情報を送信する。なお、ネットワークＩ／Ｆ２９０は、請求項における通信部に相当する。
【００１３】
硬貨処理装置１０の表示部１９０は、制御部１００からの指示に基づいて情報を表示する。本実施例では、表示部１９０は、表示装置に入力装置を組み合わせたタッチパネル（Touch Panel）であり、硬貨処理装置１０を操作する利用者および管理者からの入力を受け付け可能に構成されている。なお、表示部１９０は、請求項における操作部に相当する。
【００１４】
硬貨処理装置１０の入出金部２２０は、入金される硬貨を硬貨処理装置１０の外部から受け取るとともに、出金される硬貨を硬貨処理装置１０の外部へと提供する。本実施例では、硬貨処理装置１０は、入金時に受け取った硬貨のうち硬貨処理装置１０で受け入れできない硬貨を、入出金部２２０を通じて返却する。
【００１５】
硬貨処理装置１０の搬送機構２４０は、硬貨処理装置１０の内部で硬貨を搬送する。搬送機構２４０は、入出金部２２０と、特徴取得部２８０と、複数の金種別保留部３１０＿１〜３１０＿ｎと、複数の金種別収納部３３０＿１〜３３０＿ｎと、一括保留部３５０と、一括収納部３７０と、回収部３８０と、運用カートリッジ３９０と、の間を接続し、各部の間における硬貨の移動を実現する。
【００１６】
硬貨処理装置１０の特徴取得部２８０は、硬貨の特徴を取得する。本実施例では、特徴取得部２８０によって特徴が取得される硬貨は、入出金部２２０から入金される硬貨と、一括収納部３７０から金種別収納部３３０＿１〜３３０＿ｎへと収納される硬貨と、運用カートリッジ３９０から金種別収納部３３０＿１〜３３０＿ｎへと収納される硬貨と、である。
【００１７】
硬貨処理装置１０における複数の金種別保留部３１０＿１〜３１０＿ｎは、金種別収納部３３０＿１〜３３０＿ｎに収納すべき硬貨を一時的に保留するｎ個の収納部である。本実施例では、複数の金種別保留部３１０＿１〜３１０＿ｎは、６種類の金種（１円硬貨、５円硬貨、１０円硬貨、５０円硬貨、１００円硬貨、５００円硬貨）のそれぞれに対応する６個の収納部である（ｎ＝６）。以降では、金種別保留部を総称する場合には符号「３１０」を用い、複数の金種別保留部を個別に示す場合には「３１０」の後に個別の番号を付した符号を用いる。
【００１８】
硬貨処理装置１０における複数の金種別収納部３３０＿１〜３３０＿ｎは、出金に用いられる硬貨を金種別に収納するｎ個の収納部である。本実施例では、複数の金種別収納部３３０＿１〜３３０＿ｎは、６種類の金種（１円硬貨、５円硬貨、１０円硬貨、５０円硬貨、１００円硬貨、５００円硬貨）のそれぞれに対応する６個の収納部である（ｎ＝６）。以降では、金種別収納部を総称する場合には符号「３３０」を用い、複数の金種別収納部を個別に示す場合には「３３０」の後に個別の番号を付した符号を用いる。なお、金種別保留部３１０および金種別収納部３３０は、請求項における金種別収納部に相当する。
【００１９】
金種別収納部３３０に収納される硬貨は、入金取引が成立するまで金種別保留部３１０に一時的に収納され、入金取引が成立した後に金種別保留部３１０から金種別収納部３３０に収納される。入出金部２２０から出金される硬貨は、金種別収納部３３０から搬送機構２４０を通じて入出金部２２０に搬送される。
【００２０】
硬貨処理装置１０の一括保留部３５０は、一括収納部３７０に収納すべき硬貨を一時的に保留する収納部である。一括保留部３５０には、複数の金種の硬貨が一括して収納される。硬貨処理装置１０の一括収納部３７０は、出金に用いられる複数の金種の硬貨を一括して収納する収納部である。一括収納部３７０には、複数の金種の硬貨が混在している。
【００２１】
一括収納部３７０に収納される硬貨は、入金取引が成立するまで一括保留部３５０に一時的に収納され、入金取引が成立した後に一括保留部３５０から一括収納部３７０に収納される。金種別収納部３３０に収納されている硬貨が不足する場合、一括収納部３７０に収納されている硬貨は、搬送機構２４０を通じて特徴取得部２８０を経由して金種別収納部３３０に収納される。したがって、金種別収納部３３０に収納される硬貨は、一括収納部３７０に収納される硬貨よりも優先的に出金に用いられる。
【００２２】
硬貨処理装置１０の回収部３８０は、出金に適さないと判断された硬貨を回収する収納部である。回収部３８０は、出金時に搬送機構２４０で不具合を発生させた硬貨を回収する。硬貨処理装置１０の運用カートリッジ３９０は、硬貨を収納する収納部であり、硬貨処理装置１０に対して着脱可能に構成されている。運用カートリッジ３９０は、硬貨処理装置１０に対する硬貨の補充と、硬貨処理装置１０からの硬貨の回収と、に利用される。
【００２３】
図２は、制御部１００および特徴取得部２８０の詳細構成を示す説明図である。本実施例では、制御部１００は、金種識別部１１０と、発行年識別部１２０と、真偽識別部１３０と、を備える。
【００２４】
特徴取得部２８０は、画像センサ２８２と、光センサ２８４と、磁気センサ２８６と、を備える。特徴取得部２８０は、各種センサによって、硬貨の特徴を、数値化した特徴量として取得する。取得された硬貨の特徴は、金種の識別および真偽の識別に利用される。なお、特徴取得部２８０は、請求項における特定部に相当する。
【００２５】
特徴取得部２８０の画像センサ２８２は、特徴取得部２８０を通過する硬貨を撮像する。本実施例では、画像センサ２８２は、ＣＣＤイメージセンサ（Charge-Coupled Device image sensor）である。なお、他の実施例では、画像センサ２８２は、例えば、ＣＭＯＳイメージセンサ（Complementary Metal Oxide Semiconductor image sensor）であってもよいし、他のセンサであってもよい。特徴取得部２８０の光センサ２８４は、特徴取得部２８０を通過する硬貨の形状を取得する。特徴取得部２８０の磁気センサ２８６は、特徴取得部２８０を通過する硬貨の磁気特性を取得する。なお、他の実施例では、特徴取得部２８０は、光センサ２８４と磁気センサ２８６との少なくとも１つを備えなくてもよく、他のセンサを備えてもよい。
【００２６】
制御部１００の金種識別部１１０は、画像センサ２８２と、光センサ２８４と、磁気センサ２８６と、が取得した硬貨の特徴量に基づいて、特徴取得部２８０を通過する硬貨の金種を識別する。本実施例では、金種識別部１１０は、１円硬貨と、５円硬貨と、１０円硬貨と、５０円硬貨と、１００円硬貨と、５００円硬貨と、に識別する。
【００２７】
制御部１００の発行年識別部１２０は、画像センサ２８２から出力される画像データを解析することによって、特徴取得部２８０を通過する硬貨の発行年を識別する。本実施例では、発行年識別部１２０は、硬貨に記された発行年を画像データから読み取ることで、発行年を識別する。
【００２８】
制御部１００の真偽識別部１３０は、特徴取得部２８０が取得した硬貨の特徴量に基づいて、特徴取得部２８０を通過する硬貨が本物であるか偽物であるかを識別する。真偽識別部１３０は、金種と発行年との組み合わせのそれぞれについて、硬貨の特徴量と、予め設定された下限閾値および上限閾値と、を用いて硬貨の真偽を識別する。真偽識別部１３０は、硬貨の特徴量が下限閾値から上限閾値までの間に含まれている場合には、硬貨が本物と識別する。また、真偽識別部１３０は、硬貨の特徴量が下限閾値よりも小さい、または、上限閾値よりも大きい場合には、硬貨が偽物と識別する。なお、以降では、上限閾値および下限閾値を合わせて、単に「閾値」とも呼び、閾値は、請求項における識別基準に相当する。また、請求項において、ある識別基準よりも厳しい識別基準に設定するとは、ある識別基準よりもより高い識別基準に設定することをいう。例えば、ある識別基準では本物と識別された硬貨であっても、より高い、すなわち、より厳しい識別基準では、偽物の硬貨であると識別される場合がある。
【００２９】
Ａ−２．閾値設定処理：
図３は、閾値設定処理の流れを示す説明図である。閾値設定処理では、初めに、制御部１００は、真偽識別部１３０が硬貨の真偽を識別するために用いる閾値を初期値に設定する（ステップＳ２１）。次に、制御部１００は、設定した閾値を変更するホストコンピュータ５０からの指示があるかを判定する（ステップＳ２２）。ホストコンピュータ５０から閾値を変更する指示がないと判定された場合には（ステップＳ２２：ＮＯ）、制御部１００は、閾値設定処理を終了する。ホストコンピュータ５０から閾値を変更する指示があると判定された場合には（ステップＳ２２：ＹＥＳ）、制御部１００は、閾値を変更して（ステップＳ２３）、閾値設定処理を終了する。なお、制御部１００は、請求項における識別基準設定部に相当する。
【００３０】
図４は、金種および発行年と設定された閾値との関係の一例を示す説明図である。図４には、金種と発行年との組み合わせのそれぞれに対して設定された閾値が一覧で示されている。閾値のスラッシュの左側の値は、下限閾値を示し、スラッシュの右側の値は、上限閾値を示す。例えば、発行年が平成１年の１円硬貨に設定された閾値は、下限閾値が１００で、上限閾値が２００である。本実施例では、硬貨処理装置１０における閾値の初期値は、硬貨の発行年にかかわらず、金種が同じであれば、同じ閾値が設定されているが、他の実施例では、硬貨の発行年によって閾値として異なる初期値が設定されていてもよい。
【００３１】
図４に示すように、金種が５００円硬貨以外の硬貨では、硬貨の発行年に関わらず、同じ閾値が設定されている。一方、５００円硬貨では、図４においてハッチングで示された発行年が平成１０年の硬貨だけ、ホストコンピュータ５０から閾値を変更する指示があったため、閾値が変更されている。発行年が平成１０年の５００円硬貨では、下限閾値が２２０であり、他の発行年の下限閾値である２００よりも高く、上限閾値が２８０であり、他の発行年の上限閾値である３００よりも低く設定されている。すなわち、発行年が平成１０年の５００円硬貨では、上限閾値から下限閾値を差し引いた値が６０であり、他の発行年の５００円硬貨の差し引いた値の１００よりも小さい。そのため、変更後の閾値では変更前の閾値に比べ、発行年の平成１０年の５００円硬貨が排除されやすく、閾値が厳しく変更されている。これは、発行年が平成１０年の５００円硬貨において、過去に偽造硬貨が発見され、ホストコンピュータ５０に保存された偽造硬貨についてのデータに基づいて、閾値が設定されたためである。
【００３２】
Ａ−３．入金取引処理：
図５は、入金取引処理の流れを示す説明図である。制御部１００は、入金取引を開始する旨の利用者からの指示入力に基づいて、入金取引処理を実行する。本実施例では、制御部１００は、金種別収納部３３０＿１〜３３０＿ｎの少なくとも１つと、一括収納部３７０と、が満杯である場合、入金取引処理を実行せず、回収部３８０が満杯である場合にも、入金取引処理を実行しない。
【００３３】
入金取引処理では、初めに、入出金部２２０は、利用者からの入金を受け付ける（ステップＳ３１）。次に、搬送機構２４０は、受け付けた硬貨を入出金部２２０から特徴取得部２８０へと、一枚ずつ硬貨を繰り出して搬送する（ステップＳ３２）。特徴取得部２８０へと硬貨が搬送されると、金種識別部１１０は、搬送された硬貨の金種を識別する（ステップＳ３３）。金種の識別が行なわれて硬貨の金種が特定された場合には（ステップＳ３４：ＹＥＳ）、発行年識別部１２０は、硬貨の発行年を識別する（ステップＳ３５）。
【００３４】
図６は、５００円硬貨５６０の概略を示す説明図である。画像データ５６０における発行年刻印部５６２には、５００円硬貨が製造された発行年が刻印されている。発行年識別部１２０は、発行年刻印部５６２の画像データを読み取ることで、画像データ５６０の発行年が平成１０年であると識別する。
【００３５】
図５のステップＳ３５の処理において、硬貨の発行年が特定された場合には（ステップＳ３６：ＹＥＳ）、真偽識別部１３０は、硬貨の真偽の識別を行なう（ステップＳ３８）。真偽識別部１３０は、搬送された硬貨の特徴量と、図４に示す金種および発行年で特定される閾値と、を比較することで、硬貨の真偽を識別する。硬貨が本物と識別された場合には（ステップＳ３８：ＹＥＳ）、制御部１００は、繰り出された硬貨を受け付けて、金種別保留部３１０又は一括保留部３５０に硬貨を収納する（ステップＳ３９）。
【００３６】
ステップＳ３４の処理において金種が識別できない場合と（ステップＳ３４：ＮＯ）、ステップＳ３６の処理において発行年が識別できない場合と（ステップＳ３６：ＮＯ）、硬貨が本物と識別されなかった場合には（ステップＳ３８：ＮＯ）、制御部１００は、搬送機構２４０を通じて入出金部２２０から硬貨を返却する（ステップＳ４２）。
【００３７】
硬貨が受け付けられた場合（ステップＳ３９）、または、硬貨が返却された場合には（ステップＳ４２）、次に、制御部１００は、入出金部２２０が受け付け全ての硬貨の繰り出しが完了したか否かを判断する（ステップＳ４０）。入出金部２２０からの硬貨の繰り出しが完了していないと判断された場合には（ステップＳ４０：ＮＯ）、制御部１００は、各種識別が行なわれていない硬貨に対してステップＳ３４以降の処理を行なう。
【００３８】
入出金部２２０が受け付けた全ての硬貨の繰り出しが完了した場合（ステップＳ４０：ＹＥＳ）、制御部１００は、利用者の入金取引の確定を待って収納処理を行なう（ステップＳ３６）。収納処理では、制御部１００は、金種別保留部３１０に保留されている硬貨を金種別収納部３３０に収納し、一括保留部３５０に保留されている硬貨を一括収納部３７０に収納する。収納処理が行なわれた後、制御部１００は、入金取引処理を終了する。
【００３９】
以上説明したように、本実施例おける硬貨処理装置１０では、発行年識別部１２０が特徴取得部２８０を通過する硬貨の発行年を識別し、真偽識別部１３０が閾値に基づいて硬貨の真偽を識別し、制御部１００が金種と発行年との組み合わせのそれぞれに対して設定された閾値を変更する。一般に、硬貨は、紙幣とは異なり、印刷ではなく鋳造により作られるため、表面の刻印模様が同じである偽造硬貨が大量に作られる場合がある。よって、一度発見されたと同じ刻印模様の偽造硬貨、すなわち、発行年が同じ偽造硬貨が、市場に流通し、硬貨処理装置１０に使われる場合がある。そのため、本実施例における硬貨処理装置１０では、一度発見された偽造硬貨の金種と発行年との組み合わせが予め指示されると、偽造硬貨と同じ金種と発行年との組み合わせに対する閾値を厳しくすることで、既知の偽造硬貨を排除しやすくなる。また、偽造硬貨ではない正貨は、硬貨処理装置１０で受け入れられる場合には、硬貨の発行年がばらついているため、硬貨処理装置１０で排除される数は少数であって、大量に排除されないため、本実施例の硬貨処理装置１０では、偽造硬貨のみを排除しやすくなる。また、特定の発行年の硬貨を集中的に受け入れる場合は、造幣局等で発行して間もない包装硬貨であるため、硬貨のばらつきが小さく、閾値を厳しくしても多くの硬貨が排除されなくて済む。よって、本実施例の硬貨処理装置１０では、正貨に対する不必要な排除が抑制され、既知の偽造硬貨に対する排除が効率良く行なわれる。
【００４０】
また、例えば、新たな偽造硬貨が流通し始めた初期では、当該偽造硬貨を排除できるような硬貨の真偽識別のアルゴリズムを改造するために、アルゴリズムの検証工程等を含めたある程度の期間が必要である場合がある。しかし、硬貨処理装置１０を内蔵した現金自動取引装置（Automated teller machine、以降「ＡＴＭ」とも呼ぶ）を設置している金融機関等にとっては、緊急に偽造硬貨に対応する必要がある。硬貨の真偽識別のアルゴリズムが改造されるまで、偽造硬貨の金種の受付を行なわない対策も考えられるが、その場合には、ＡＴＭの利用者に対して使い勝手が悪くなってしまう。このような場合に、本実施例の硬貨処理装置１０では、硬貨の真偽識別のアルゴリズムの改造が完了するまで、当該偽造硬貨の金種と行年との組み合わせを制御部１００に登録しておくことで、ＡＴＭの利用者に対する使い勝手を改善できる。また、硬貨処理装置１０は、当該偽造硬貨の金種と発行年との組み合わせに対する硬貨を受け付けた場合に、当該偽造硬貨を排除しやすくなる。
【００４１】
また、本実施例における硬貨処理装置１０では、特徴取得部２８０が硬貨の特徴量を特定し、真偽識別部１３０が特徴量と閾値とを比較することで硬貨の真偽を識別するため、硬貨の真偽を簡潔、かつ、迅速に識別できる。
【００４２】
また、本実施例における硬貨処理装置１０では、制御部１００がホストコンピュータ５０からの指示に基づいて閾値を変更する。そのため、特定の金種と特定の発行年との組み合わせの硬貨について偽造硬貨が発見された場合には、ネットワークＮＴを介して接続されている硬貨処理装置１０の全てに対してホストコンピュータ５０から閾値の変更を指示でき、迅速に偽造硬貨を排除できる。
【００４３】
Ｂ．変形例：
なお、本発明は上記した実施例に限定されるものではなく、様々な変形例が含まれる。例えば、上記した実施例は本発明をわかりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成の一部について、他の実施例の構成を加えることも可能である。また、各実施例の構成の追加・削除・置換をすることが可能である。
【００４４】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くこともできる。また、制御線や情報線は説明上必要と考えられるものを示しており、製品上必ずしも全ての制御線や情報線を示しているとは限らない。実際には殆ど全ての構成が相互に接続されていると考えてもよい。
【００４５】
また、本実施例における硬貨処理装置１０では、制御部１００は、ホストコンピュータ５０からの指示に基づいて閾値を変更したが、閾値の変更方法についてはこれに限られず、種々変形可能である。例えば、タッチパネルである表示部１９０が管理者からの入力を受け付けて、閾値が変更されてもよい。この変形例の硬貨処理装置１０では、それぞれの硬貨処理装置１０に対してそれぞれの閾値が設定されるため、硬貨処理装置１０を内蔵したＡＴＭ等が設置される場所に応じて閾値の設定が変更され、偽造硬貨の排除が効率良く行なわれ、正貨の排除が抑制される。
【００４６】
また、上記実施例では、硬貨における１つの特徴量に基づいて、硬貨の真偽が識別されたが、特徴量の数は必ずしも１つである必要はなく、種々変形可能である。例えば、画像センサ２８２と、光センサ２８４と、磁気センサ２８６と、の各センサのそれぞれに対して１つずつの特徴量が特定されて、特徴量のそれぞれに対して閾値との比較が行なわれてもよい。また、特徴取得部２８０の各センサが硬貨の部位ごとに特徴量を特定してもよい。
【００４７】
また、上記実施例では、ホストコンピュータ５０からの指示に基づいて、上限閾値および下限閾値が変更されたが、指示に基づいて上限閾値等が設定される必要はなく、閾値の変更方法については種々変形可能である。例えば、制御部１００は、ホストコンピュータ５０からの情報に基づいて閾値を変更する金種および発行年だけ特定し、閾値の値自体について個別に変更してもよい。また、硬貨に対して複数の特徴量が特定された場合には、いずれの特徴量に対応する閾値のみが変更されてもよい。また、閾値は、具体的な数値ではなく、複数の段階のそれぞれについて設定されており、ホストコンピュータ５０からの指示に基づいて、段階が変更されてもよい。
【００４８】
また、上記実施例では、図４に示すように、予め設定された閾値は、金種のそれぞれについて全ての発行年で同じ閾値であったが、必ずしも全ての発行年で同じ閾値である必要はなく、発行年ごとの閾値の設定については種々変形可能である。例えば、発行年が新しい硬貨は、発行年が古い硬貨と比べて閾値が厳しい設定であってもよい。この変形例では、古い硬貨ほど長年の使用に応じてばらつきが大きくなるため、硬貨の真偽の識別が効率良く行なわれる。
【符号の説明】
【００４９】
１０…硬貨処理装置
５０…ホストコンピュータ
１００…制御部
１１０…金種識別部
１２０…発行年識別部
１３０…真偽識別部
１９０…表示部
２２０…入出金部
２４０…搬送機構
２８０…特徴取得部
２８２…画像センサ
２８４…光センサ
２８６…磁気センサ
２９０…ネットワークインターフェース
３１０，３１０＿ｎ…金種別保留部
３３０，３３０＿ｎ…金種別収納部
３５０…一括保留部
３７０…一括収納部
３８０…回収部
３９０…運用カートリッジ
５００…現金取引処理システム
５６０…画像データ
５６２…発行年刻印部
ＮＴ…ネットワーク
【図１】
2014211793.tif 000003
【図２】
2014211793.tif 000004
【図３】
2014211793.tif 000005
【図４】
2014211793.tif 000006
【図５】
2014211793.tif 000007
【図６】
2014211793.tif 000008